(57)【要約】【課題】短期間で土壌の微生物叢を改善することができる土壌改良剤及び土壌改良方法を提供する。【解決手段】土壌改良剤は、キチンの加水分解物である低分子量キチンを有効成分として含有する。低分子量キチンの数平均分子量は、２，０００〜５０，０００であることが好ましい。また、土壌改良方法は、キチンを分解して得られる低分子量キチンを、土壌中の含有量が０．０２質量％以上となるように、土壌に添加する。【選択図】図１
2018172453.tif 000002
【特許請求の範囲】
【請求項１】
キチンの加水分解物である低分子量キチンを有効成分として含有することを特徴とする土壌改良剤。
【請求項２】
前記低分子量キチンの数平均分子量が２，０００〜５０，０００である、請求項１記載の土壌改良剤。
【請求項３】
土壌中の放線菌を増加させ、フザリウム菌を減少させることにより、土壌の微生物叢を改善するために用いられるものである、請求項１又は２記載の土壌改良剤。
【請求項４】
キチンを分解して得られる低分子量キチンを、土壌中の含有量が０．０２質量％以上となるように、土壌に添加することを特徴とする土壌改良方法。
【請求項５】
前記低分子量キチンの数平均分子量が２，０００〜５０，０００である、請求項４記載の土壌改良方法。
【請求項６】
前記低分子量キチンを土壌に添加することにより、土壌中の放線菌を増加させ、フザリウム菌を減少させる、請求項４又は５記載の土壌改良方法。
【請求項７】
前記低分子量キチンを、土壌中の含有量が０．０６質量％以上０．１７質量％以下となるように、土壌に添加する、請求項４〜６のいずれか１項に記載の土壌改良方法。
【発明の詳細な説明】
【技術分野】
【０００１】
本発明は、低分子量キチンを有効成分とする土壌改良剤及び土壌改良方法に関する。
【背景技術】
【０００２】
作物栽培に重要な土壌の良好さは、化学性、物理性、生物性を指標に評価される。化学性とはpHや肥料成分、物理性とは土の柔らかさ (団粒) や水捌け、保水性等を指し、これらは養分補給や耕運により改善されてきた。一方で、生物性は土壌微生物の種類や割合により評価され、土壌環境改善の重要な因子である。微生物の多様性がある土壌は、作物の生育に優れ、また連作障害を抑制し、病気にかかり難いことが知られ、作物生産者は土壌の微生物性改善のために様々な努力を行っている。
【０００３】
下記非特許文献１には、土壌へのカニ殻キチンの施用により、土壌微生物叢に変化を与え、単位土壌あたりの放線菌数が増加し、インゲン萎黄病の原因菌であるフザリウムが減少し、発病を抑制したことが報告されている。
【０００４】
また、下記特許文献１には、カニ殻の破砕片と粉粒状の無機材料、有効微生物群を配合し、更に必要に応じてキチン、キトサン、各種和漢薬粉末を添加した土壌改良材が記載されている。この土壌改良材を施用すると、有効微生物が速やかにかつ爆発的に増殖すると共に、植物細胞が刺激を受けて活性化して、土壌病害菌や病害虫を攻撃して死滅させることが記載されている。
【０００５】
また、下記特許文献２には、ストレプトミセス属 (streptomyces)に属する新規な放線菌を土壌に施用することによって、連作障害を防止できることが記載されている。上記新規な放線菌は、キチンを混合した土壌より分離されたとあり、キチンを分解する能力が高い菌が選抜されている。
【０００６】
更に、下記特許文献３には、キチンを加水分解して得られる数平均分子量が２，０００〜５０，０００の低分子量キチンを有効成分として含有する植物生長調整剤が記載されている。そして、上記植物生長調整剤を植物に施与することにより、植物の生長を促したり、植物の矮化を促進して、収量を増加させることが記載されている。
【０００７】
更に、下記特許文献４には、キチンを加水分解して得られる数平均分子量３，０００〜５０，０００の低分子量キチンを有効成分として含有することを特徴とする植物病害防除剤が記載されている。上記植物病害防除剤の施与方法は、例えば、土壌や培養基に直接散布してもよいが、例えば、上記低分子量キチンを０．０１〜１．０質量％、好ましくは０．１〜０．５質量％となるように水等の適当な溶媒に懸濁した懸濁液を、植物の根元に灌注することが好ましい旨記載されている。
【先行技術文献】
【非特許文献】
【０００８】
【非特許文献１】Microbiological processes associated with the use of chitin for biological control. Mitchell, R. and Alexander, M. Soil Sci. Soc. Proc. 26: 556-558. 1962.
【特許文献】
【０００９】
【特許文献１】特開２００２−１８００４７号公報
【特許文献２】特開平９−１５４５７０号公報
【特許文献３】ＷＯ２０１５／１２５９５３号公報
【特許文献４】特許４４０４３３２号公報
【発明の概要】
【発明が解決しようとする課題】
【００１０】
しかしながら、非特許文献１及び特許文献１に記載された方法では、カニ殻や高分子量のキチンを用いているため、資材の多量施用が必要であったり、効果が出るまでに時間が掛かったりするという難点があった。
【００１１】
また、特許文献２に記載された方法では、新規な放線菌を土壌に施用しても、該放線菌が土壌中で優位に増殖するとは限らず、また、長期に亘ってその優位な状態を維持できるとは限らないので、安定した効果が得られない可能性があった。
【００１２】
一方、特許文献３には、低分子量キチンを有効成分とする作物の収量増加を目的とした植物生長調整剤が開示されているが、土壌の環境改善を目的とした土壌改良剤として用いることについては記載されていない。
【００１３】
また、特許文献４には、アブラナ科作物の病害である根こぶ病や萎黄病に有効であることが記載されているが、病原体ともなる土壌自体から病原菌を減少させる、土壌改良剤として用いることについては記載されていない。
【００１４】
よって、本発明の目的は、短期間で土壌の微生物叢を改善することができる土壌改良剤及び土壌改良方法を提供することにある。
【課題を解決するための手段】
【００１５】
本発明者は、鋭意研究を行った結果、低分子量キチンを土壌に施用することで、短期間で土壌中の放線菌を増殖させ、且つ短期間で作物病原菌であるフザリウム菌を低減する効果もあることを見出し、本発明を完成するに至った。
【００１６】
すなわち、本発明の土壌改良剤は、キチンの加水分解物である低分子量キチンを有効成分として含有することを特徴とする。
【００１７】
本発明の土壌改良剤においては、前記低分子量キチンの数平均分子量が２，０００〜５０，０００であることが好ましい。
【００１８】
本発明の土壌改良剤は、土壌中の放線菌を増加させ、フザリウム菌を減少させることにより、土壌の微生物叢を改善するために用いられるものであることが好ましい。
【００１９】
一方、本発明の土壌改良方法は、キチンを分解して得られる低分子量キチンを、土壌中の含有量が０．０２質量％以上となるように、土壌に添加することを特徴とする。
【００２０】
本発明の土壌改良方法においては、前記低分子量キチンの数平均分子量が２，０００〜５０，０００であることが好ましい。
【００２１】
本発明の土壌改良方法は、前記低分子量キチンを土壌に添加することにより、土壌中の放線菌を増加させ、フザリウム菌を減少させるのに好適である。
【００２２】
本発明の土壌改良方法においては、前記低分子量キチンを、土壌中の含有量が０．０６質量％以上０．１７質量％以下となるように、土壌に添加することが好ましい。
【発明の効果】
【００２３】
本発明によれば、低分子量キチンを有効成分として含有する土壌改良剤を土壌に施与することにより、一般的なキチンと比較して、短期間で放線菌の増殖効果を示し、且つ短期間でフザリウム菌の低減効果を示す。放線菌は抗生物質を産生する菌種が多く有益な土壌微生物であり、一方でフザリウム菌は多くの植物病害を引起す有害な土壌微生物であることが広く知られている。したがって、本発明の土壌改良剤を土壌に施与することにより、従来方法で用いられているカニ殻や一般的なキチンの土壌施用では見られなかった、短期間での土壌中の微生物叢の改善効果が期待でき、それによって土壌自体を改善することによる作物病害の発生抑制効果が期待できる。また、土壌中の微生物叢を改善することにより、農業圃場での連作障害 (連作による土壌汚染に起因する次作物への障害発生) が懸念される土壌の早期回復効果が期待でき、農業生産性の向上に貢献することができる。
【図面の簡単な説明】
【００２４】
【図１】低分子量キチン濃度とフザリウム菌低減率との関係を示す図表である。
【発明を実施するための形態】
【００２５】
本発明の土壌改良剤の有効成分である低分子量キチンは、カニ、エビ等の甲殻類の殻等から常法によって調製されるキチンを、酸又は酵素で部分加水分解することによって得られる。低分子量キチンの数平均分子量は、２，０００〜５０，０００であることが好ましく、２，５００〜〜２０，０００であることがより好ましい。なお、上記数平均分子量は、例えばプルランを標準物質としたサイズ排除クロマトグラフィーなどの方法によって測定することができる。
【００２６】
このような低分子量キチンは、例えば、以下のようにして調製することができる。すなわち、原料キチンを３〜８倍量程度の濃塩酸に分散させ、４０℃で１０〜２０分間分解を行う。濃塩酸と等量の水を加えて反応停止し、アルカリで中和した後、濾過して残渣を回収し、必要に応じて賦形剤を適宜添加し乾燥することにより、低分子量キチンを得ることができる。また、低分子量キチンを主成分として含むキチン分解物は市販されており、例えば、商品名「低分子キチンＦＯ」、「ＬＭＣ−３」（いずれも焼津水産化学工業株式会社製）等をそのまま用いることができる。
【００２７】
本発明の土壌改良剤は、上記分子量の低分子量キチンのみで構成してもよく、上記分子量の低分子量キチン以外の他の成分を含んでいてもよい。例えば、他の成分として、シリカ、ケイ藻土、タルク、炭酸カルシウム、ゼオライトなどの固形肥料や、尿素、硫安、塩安、燐安、塩加里などの水可溶性肥料や、カルシウム、亜鉛、鉄、硼酸、銅、マンガン、ビタミンＣなどの微量栄養素や、バリン、グルタミン酸、アスパラギン酸、リジン、アラニン、シスチン、グリシン、イソロイシン、プロリン、アデニンなどのアミノ酸・核酸などを含むことができる。また、必要に応じて、沈殿防止剤、展着剤、防腐剤、増粘剤、賦形剤などを含むこともできる。土壌改良剤中の低分子量キチンの含有量としては、低分子量キチンを固形分換算で１〜１００質量％含むことが好ましく、１０〜８０質量％含むことがより好ましい。また、土壌改良剤の形態としては、粉状、顆粒状、液状、粉状物を水等の溶媒に分散させた分散液状等のいずれの形態であってもよい。土壌への施用形態としては、上記分子量の低分子量キチンを粉状に調整した形態のものをそのまま土壌へ施与しても良いが、必要に応じ作業性や均一性の観点から、水等の溶媒に分散させた分散液状の形態を使用しても良い。低分子量キチンを水等の溶媒に分散させる場合には、低分子量キチン換算で、好ましくは５０〜３５００ｍｇ／Ｌ、より好ましくは６００〜３５００ｍｇ／Ｌ、更により好ましくは１２００〜３５００ｍｇ／Ｌの濃度に分散させた分散液とするのが好ましい。
【００２８】
本発明の土壌改良方法は、上記土壌改良剤を、低分子量キチンの土壌中の含有量が０．０２質量％以上となるように、土壌に添加する方法である。上記低分子量キチンの土壌中への添加量は、０．０６質量％以上、０．１７質量％以下がより好ましい。なお、圃場の土壌等に添加する場合、作物の生育に寄与する深さでの土壌中の含有量が上記範囲になればよい。低分子量キチンの土壌中の含有量を上記範囲とする深さは、植物の根がはる深さによって相違するが、一般的には地表から１０ｃｍあれば十分な効果が期待できる。
【００２９】
本発明の土壌改良剤を土壌に施与する方法は、特に制限はなく、粉状、顆粒状のものを土壌に散布機などで散布したり、液状、分散液状のものを、ジョロ、散水ノズル、灌水チューブ、スプリンクラー、灌注機などで土壌に散布したりする方法が採用できる。
【００３０】
低分子量キチンを有効成分として含有する本発明の土壌改良剤を土壌に添加することにより、一般的なキチンと比較して、短期間で放線菌の増殖効果を示し、且つ短期間でフザリウム菌の低減効果を示す。このため、本発明の土壌改良剤は、特にフザリウム菌による病害を受けやすい作物、例えばアズキ、イネ、ダイズ、タバコ、トウモロコシ、ムギなどの農産物や、アスパラガス、アルファルファ、イチゴ、インゲンマメ、エダマメ、エンドウマメ、カブ、カボチャ、カリフラワー、カンショ、キャベツ、キュウリ、コマツナ、ゴボウ、コリアンダー、コンニャク、サトイモ、サヤインゲン、サヤエンドウ、サラダナ、ショウガ、スイカ、セルリー、ソラマメ、タマネギ、チンゲンサイ、ツルムラサキ、テンサイ、トウガラシ、トウガン、トマト、ナガイモ、ナス、ニガウリ、ニラ、ニンニク、ネギ、ハクサイ、バジル、ハス、パセリ、バレイショ、ビート、ピーマン、ブロッコリー、ホウレンソウ、マクワウリ、ミズナ、ミツバ、メロン、ユウガオ、ラッカセイ、ラッキョウ、レタスなどの野菜や、ウメ、オウトウ、カキ、コーヒー、サクランボ、ナシ、ネクタリン、パイナップル、パッションフルーツ、パパイア、バナナ、ビワ、カンキツ、モモ、リンゴなどの果樹や、アサガオ、アスター、カーネーション、ガーベラ、キク、グラジオラス、ケイトウ、シクラメン、シンビジウム、スイセン、ストック、スイートピー、ゼラニウム、チューリップ、デルフィニウム、トルコキキョウ、ナデシコ、マーガレット、ミヤコワスレ、ユリ、ラン、リンドウなどの花卉や、アカクローバ、アロエ、イネ科牧草、クワ、シバ、スギ、チャ、チョーセンニンジン、ニセアカシア、マツ、ヘチマ、ワタなどを生育させる際の土壌改良に対して有効である。
【００３１】
また、本発明の土壌改良剤は、特に農業圃場での連作障害 (連作による土壌汚染に起因する次作物への障害発生) が懸念される土壌に対して有効である。上記連作障害の対象となる作物としては、例えばアズキ、ダイズ、タバコ、ムギなどの農産物や、アルファルファ、イチゴ、インゲンマメ、エダマメ、エンドウマメ、カブ、カリフラワー、キャベツ、キュウリ、ゴボウ、コンニャク、サトイモ、サヤインゲン、サヤエンドウ、サラダナ、スイカ、セルリー、ソラマメ、チンゲンサイ、トウガラシ、トウガン、トマト、ナガイモ、ナス、ニガウリ、ニラ、ハクサイ、ハス、パセリ、バレイショ、ビート、ピーマン、ブロッコリー、ホウレンソウ、マクワウリ、ミズナ、ミツバ、メロン、ユウガオ、ラッカセイ、レタスなどの野菜や、アサガオ、アスター、カーネーション、ガーベラ、キク、グラジオラス、ケイトウ、シクラメン、シンビジウム、ストック、スイートピー、チューリップ、デルフィニウム、トルコキキョウ、ナデシコ、マーガレット、ミヤコワスレ、ユリ、ラン、リンドウなどの花卉などが挙げられる。
【００３２】
なお、放線菌は有用微生物として数多くの論文、特許が報告されており、主に病原微生物の拮抗性、その他に土壌の団粒化に有効に働くことが知られている。例えば、特開２００７−１７６７５９号公報には、放線菌などの有効微生物を高密度に繁殖させることにより、放線菌などが持っている病原性微生物に対する拮抗性などによって、植物病原性微生物の駆除などの効果を発揮させると報告されている。
【００３３】
また、特許第４５６５８７８号公報には、放線菌などの食物連鎖を経て有機物の腐食有機物への変性を容易にすることが記載されている。また、放線菌など土壌微生物が旺盛に繁殖することにより、保水、排水、通気性に優れた土壌の団粒化が推進し、植物の生育に適した土壌構造が形成されることが記載されている。
【００３４】
このように、土壌中で放線菌が増殖することにより、放線菌などが持っている病原性微生物に対する拮抗性などにより、植物病原性微生物の駆除などの効果が期待できると共に、保水、排水、通気性に優れた土壌の団粒化が推進し、植物の生育に適した土壌構造が形成されることが期待される。
【実施例】
【００３５】
以下に実施例及び比較例を挙げて本発明について更に具体的に説明する。なお、これらの実施例は本発明の範囲を限定するものではない。
【００３６】
なお、以下の実施例において、低分子キチンとしては、「低分子キチン」（商品名、焼津水産化学工業株式会社製、数平均分子量３，０００）を用いた。また、比較として低分子量キチンの構成原材料である一般的なキチン（数平均分子量１００万以上）を用いた。
【００３７】
［１］土壌サンプル作製
＜実施例１（低分子キチン）＞
土壌は、静岡県焼津市並びに榛原郡吉田町の農業生産法人２社の圃場から採取したものを等重量ずつ混合したもの使用した。混合土壌は風乾後、２ミリ角メッシュの篩にかけ、篩を通過した土壌を用い、最終水分量が最大容水量の６０％になるように滅菌水を加え、併せて低分子量キチンが水分調整後の土壌に対し質量換算で０．１％になるよう加え、良く混合した。混合土壌は、乾熱滅菌した２００ｍＬ容ガラス瓶の８割容量まで添加し、瓶口部をパラフィルムで封をした後、培養機にて温度２５℃で保温した。保温開始後、２週間後に土壌を採取し、微生物数を測定した。
【００３８】
＜比較例１（無処理区）＞
実施例１における土壌サンプル作成にて、低分子量キチンを添加せず、その他の手順は実施例１と同様にして処理を実施した。
【００３９】
＜比較例２（キチン）＞
実施例１における土壌サンプル作成にて、低分子量キチンの代りにキチン (カニ由来) を添加し、その他の手順は実施例１と同様にして処理を実施した。
【００４０】
［２］微生物数測定
放線菌の菌数をエッグアルブミン寒天培地、フザリウム菌の菌数をＦＯＧ１寒天培地を用いて計数した。培地組成と操作、結果を以下に記す。
【００４１】
（１） 培地組成
（ｉ）エッグアルブミン寒天培地
培地原料：エッグアルブミン  ０．２５ｇ、グルコース  １．０ｇ、Ｋ２ＨＰＯ４  ０．５ｇ、ＭｇＳＯ４・７Ｈ２Ｏ  ０．２ｇ、Ｆｅ２（ＳＯ４）３  ０．０１ｇ、寒天  １５．０ｇ、蒸留水  １，０００ｍＬ、ｐＨ  ６．８
エッグアルブミン寒天培地は、細菌及び放線菌の培地であるが、放線菌コロニーは一般に堅く、表面が粉状を呈するものが多く、且つ寒天中に菌糸を伸展するため、他の細菌群と区別でき、放線菌の計数に一般的に使用されている。
【００４２】
上記培地原料を用い、ｐＨ調整後、寒天を加えてオートクレーブ（１２１℃、１５分）した。
【００４３】
（ｉｉ）ＦＯＧ１寒天培地
培地原料：Ｋ２ＨＰＯ４  １．０ｇ、ＫＣｌ  ０．５ｇ、ＭｇＳＯ４・７Ｈ２Ｏ  ０．５ｇ、クエン酸水素２アンモニウム  ２．０ｇ、Ｈ３ＢＯ３  ０．５ｇ、硝酸エコナゾール  ５．０ｍｇ、ｔｒａｃｅ  ｅｌｅｍｅｎｔ  Ａ  *  ０．２ｍＬ、クロラムフェニコール  ０．２５ｇ、寒天  ２０ｇ、蒸留水  １，０００ｍＬ
*  ｔｒａｃｅ  ｅｌｅｍｅｎｔ  Ａ（９５ｍＬ当り）：クエン酸  ５．０ｇ、ＦｅＳＯ４  ５．０ｇ、ＺｎＳＯ４・７Ｈ２Ｏ  １．０ｇ、ＣｕＳＯ４  ０．５ｇ、ＭｇＳＯ４・５Ｈ２Ｏ  ５０ｍｇ、Ｎａ２ＭｏＯ４  ５０ｍｇ
ＦＯＧ１寒天培地は、フザリウム菌の選択培地である。
【００４４】
上記培地原料を用い、寒天を加えてオートクレーブ（１２１℃、１５分）した後、以下の追加原料を添加・溶解した。
【００４５】
追加原料：L-ソルボース  ２０ｇ、イミノクタジン３酢酸塩２５％溶液  ５０μＬ、トルクロフォスメチル５０%水和剤  １．０ｍｇ
【００４６】
（２）菌数測定方法
土壌１０ｇを滅菌水９０ｍＬに入れ、３０分間振盪した後、懸濁液を滅菌水で１０倍ごとに希釈した。
【００４７】
放線菌は、希釈液１ｍＬをエッグアルブミン寒天培地に添加・混釈し、３０℃で７日間培養した後、放線菌のコロニーを計数して、土壌１ｇ中の菌数を求めた。
【００４８】
フザリウム菌は、希釈液１ｍＬをＦＯＧ１寒天培地の表面に塗抹し、３０℃で７日間培養した後、コロニーを計数した。コロニー計数値をもとに、土壌１g中の菌数を求めた。
【００４９】
（３） 結果
（ｉ） 放線菌
放線菌数の菌数測定結果を下記表１に示す。
【００５０】
【表１】
2018172453.tif 000003
【００５１】
（ｉｉ）フザリウム菌
フザリウム菌の菌数の測定結果を下記表２に示す。なお、各処理区とも保管開始時の菌数を１００％とし、それと比較した２週間後の菌数割合（残存率）を百分率で示した。また、無処理区の残存率を１００％とした、低分子量キチン、キチン処理区の残存率を併せて示した。この結果を下記表２に示す。
【００５２】
【表２】
2018172453.tif 000004
【００５３】
（４）考察
（ｉ）低分子量キチン濃度とフザリウム菌低減率との関係
低分子量キチン濃度とフザリウム菌低減率との関係は、（ａ） キチンが放線菌やフザリウム菌を含む真菌類の栄養源であること、（ｂ） 低分子量キチンのフザリウム菌低減効果は濃度依存的であると判断されること、（ｃ） 微生物は普遍的に指数関数的な増減挙動をとること、の３点より、図１に示されるような指数近似曲線を描くことが出来ると考えられる。
【００５４】
（ｉｉ）施用濃度の下限値
土壌病原菌であるフザリウム菌を短期間で低減することが実用上有益であることから、低分子量キチンの施用効果は、フザリウム菌を半減することが好ましく、１桁以上低減することがより好ましい。当該条件に値する低分子量キチンの土壌への施用濃度の下限は、図１から、好ましくは０．０２％（ｗ／ｗ土壌）以上、更に好ましくは０．０６％（ｗ／ｗ土壌）以上と算出される。
【００５５】
（ｉｉｉ）施用濃度の上限値
低分子量キチンは不溶性成分で自体の固体化が可能な物質であり、且つそれ自体がキノコ等の食用にも栽培される真菌の栄養源として使用可能である。上記で考察の通り、低分子量キチンのフザリウム菌低減効果は濃度依存的であると判断されるため、科学的に効果発揮に要する上限濃度は無い。
【００５６】
◇参考データ（施用の参考データ）
キチンは窒素を含有する多糖類であり、構造中のアセトアミド基由来の窒素が６．９％程度含まれる。農作物栽培において、窒素の過剰施用は作物の濃度障害を引き起こし、また環境汚染の原因となることが知られている。日本では農地含む土地の地力増進を目的に地力増進法において、土壌窒素分の改善目標が示されている。その内、窒素含有量の上限値が示されて対象地は、水田のみである。その値を下記表３に抜粋して示す。
【００５７】
【表３】
2018172453.tif 000005
【００５８】
（ｉｖ） 施用濃度の上限値例
表３に示す含水土壌中の窒素含有量の上限と、低分子量キチンに由来する窒素量が同一となる低分子量キチン濃度は、０．１７％と算出される。このことから低分子量キチンの施用は好ましくは０．１７％以下と考えられる。算出例を下記表４に示す。
【００５９】
【表４】
2018172453.tif 000006
【図１】
2018172453.tif 000007